(57)【要約】【課題】 少ない部品点数でかつ簡易な構造で同軸コネクタと同軸ケーブル３０との取り付けを容易且つバラツキ無く行うことができるようにした同軸コネクタと同軸ケーブル３０の接続方式を提供する。【解決手段】 同軸ケーブル３０の中心導体を導電性ピンコンタクト２の収容部２２内に収容した状態で、同軸ケーブル３０をカップリングナット５側に押し込むことにより、導電性ピンコンタクト２が導電性シェル１内を移動し、第一の絶縁体３の凸部３ａが導電性シェル１に嵌合した位置で停止する。これにより、同軸ケーブル中心導体７は導電性ピンコンタクト２に圧接された状態で保持されると共に、第一の板ばね８と第一の絶縁体３の導電性シェル１間に同軸ケーブル３０の外被及び外部導体１１が挟持された状態で保持され、シース固定金具１３をカップリングナット５方向に移動させることにより同軸ケーブル３０の取付が完了する。【選択図】図１
2008177015.tif 000002
【特許請求の範囲】
【請求項１】
同軸ケーブル３０の内部絶縁体３２及び同軸ケーブル中心導体７に装着される第一の絶縁体３と、同軸ケーブル３０の同軸ケーブル外部導体１１を固定するための第一の板ばね８をその後部側に有すると共に、外導筒４をその前部側に有する導電性シェル１と、第一の板ばね８の外側面に装着される導体固定金具９と、さらに導体固定金具９の外側面に装着されるシース固定金具１３とを備えて成ることを特徴とする同軸コネクタと同軸ケーブルの接続方式。
【請求項２】
導電性シェル１の前部側に取り付けられ、ねじ部２１を有するカップリングナット５と、小径部２ｂと同軸ケーブル３０の同軸ケーブル中心導体７が嵌合する収容部２２とを有する導電性ピンコンタクト２と、導電性シェル１の前部内側に保持されると共に貫通孔２４を有し、貫通孔２４から小径部２ｂを導電性シェル１の前部方向に突出した状態で導電性ピンコンタクト２を保持するための絶縁体１９とを備え、導電性ピンコンタクト２の小径部２ｂを、絶縁体１９の貫通孔２４を貫通した状態で装着して成る請求項１に記載の同軸コネクタと同軸ケーブルの接続方式。
【請求項３】
前記導体固定金具９には前記板ばね８の外側面に螺合するためのねじ部９ａが設けられ、さらに前記ねじ部９ａの後方に断面台形状の第一の突き当て部１０が形成される請求項１又は請求項２記載の同軸コネクタと同軸ケーブルの接続方式
【請求項４】
前記シース固定金具１３には前記導体固定金具９の外側面に螺合するためのねじ部１３ａが設けられ、さらにねじ部１３ａの後方に前部側に拡開し断面台形状の第二の突き当て部１４が形成される請求項１乃至請求項３のいずれか一に記載の同軸コネクタと同軸ケーブルの接続方式。
【請求項５】
前記シース固定金具１３をカップリングナット５側へ移動した位置に保持することにより、第一の板ばね８を締め付けて変形させて同軸ケーブル３０の同軸ケーブルシース１５に密着させる請求項１乃至請求項４のいずれか一に記載の同軸コネクタと同軸ケーブルの接続方式。
【請求項６】
第一の絶縁体３は導電性シェル１に嵌合する凸部３ａが形成されて成り、第一の絶縁体３の凸部３ａが導電性シェル１に嵌合する状態で導電性ピンコンタクト２の板状弾性接続部６が同軸ケーブル中心導体７に圧接される請求項１乃至５のいずれか一に記載の同軸コネクタと同軸ケーブルの接続方式。
【発明の詳細な説明】
【技術分野】
【０００１】
本発明は、ケーブルテレビ（ＣＡＴＶ）や衛星放送用等の同軸ケーブルに取り付けて使用する同軸コネクタと同軸ケーブルの接続方式に関する。
【背景技術】
【０００２】
従来から、ＣＡＴＶ用同軸ケーブル、衛星放送用同軸ケーブル等の同軸ケーブルとして、広帯域伝送が可能、低減衰特性、均一なインピーダンス特性、高シールド特性等、優れた信号伝送特性を有する同軸ケーブルが広く使用されている。
【０００３】
前記同軸ケーブルを特定の機器に接続するため、あるいは、前記同軸ケーブル同士を接続する等のための同軸ケーブル用コネクタには、屋外で使用されるコネクタは勿論のこと、屋内で使用されるようなコネクタでも、コネクタ内部に水滴や塵埃が入らないような構造が要求される。
【０００４】
係る同軸コネクタと同軸ケーブルの組み付けでは、図５に示すように先ず、フェルール１７とシースチューブ１８を同軸ケーブル３０側に挿入し、ケーブル端末処理後、コネクタに挿入する。
その後、図６に示すように、同軸ケーブル３０の同軸ケーブル外部導体１１をコネクタのシェルの圧着部に被せ、その上にフェルール１７を移動させ、特殊圧着工具でフェルール１７をかしめることで、コネクタのシェル１６の圧着部と同軸ケーブル外部導体１１を圧接して、接続した後、シースチューブ１８を被せる。
【０００５】
以上の様に、従来、同軸コネクタ４０と同軸ケーブル３０の接続方式について、フェルール１７にてシェル１６にケーブル３０を圧着する場合は、専用圧着工具が必要であり、接続工事に汎用性がない欠点があった。
【０００６】
この同軸ケーブル用コネクタに関し、特許文献１には、同軸ケーブル接続用器具として、中心コンタクトを有するコネクタと同軸ケーブルとの取り付けを容易且つバラツキ無く行うことができるようにすることを課題とした同軸コネクタと同軸ケーブルの接続方式が示されている。
【特許文献１】特開２００３−０４５６０１号公報
【発明の開示】
【発明が解決しようとする課題】
【０００７】
しかし以上の特許文献１の同軸コネクタと同軸ケーブルの接続方式でも、その図４に示されるように、外被を所定長さ切り取って削除し、露出した外部導体を外被を覆うように、折り返すという煩雑な前処理の存在を前提とし、しかもその各図に示された様に、ガイドピン１０５、中心コンタクト保持部材１０６等の特殊部品が必要となり、簡易でかつ水滴や塵埃が入らない密閉性の高い構造とするという同軸コネクタと同軸ケーブルの接続方式における本来的な要請に応えたものではなかった。
【０００８】
本発明は、以上の従来技術における問題に鑑み、少ない部品点数でかつ簡易な構造で同軸コネクタと同軸ケーブルとの取り付けを容易且つバラツキ無く行うことができるようにした同軸コネクタと同軸ケーブルの接続方式を提供することを目的とする。
【課題を解決するための手段】
【０００９】
すなわち本発明の同軸コネクタと同軸ケーブルの接続方式は、同軸ケーブル３０の内部絶縁体３２及び同軸ケーブル中心導体７に装着される第一の絶縁体３と、同軸ケーブル３０の同軸ケーブル外部導体１１を固定するための第一の板ばね８をその後部側に有すると共に、外導筒４をその前部側に有する導電性シェル１と、第一の板ばね８の外側面に装着される導体固定金具９と、さらに導体固定金具９の外側面に装着されるシース固定金具１３とを備えて成ることを特徴とする。
【００１０】
前記導電性シェル１の前部側に取り付けられ、ねじ部２１を有するカップリングナット５と、小径部２ｂと同軸ケーブル３０の同軸ケーブル中心導体７が嵌合する収容部２２とを有する導電性ピンコンタクト２と、導電性シェル１の前部内側に保持されると共に貫通孔２４を有し、貫通孔２４から小径部２ｂを導電性シェル１の前部方向に突出した状態で導電性ピンコンタクト２を保持するための絶縁体１９とを備え、導電性ピンコンタクト２の小径部２ｂを、絶縁体１９の貫通孔２４を貫通した状態で装着して成る様にしても良い。
【００１１】
前記導体固定金具９には前記板ばね８の外側面に螺合するためのねじ部９ａが設けられ、さらに前記ねじ部９ａの後方に断面台形状の第一の突き当て部１０が形成される様にしても良い。
【００１２】
前記シース固定金具１３には前記導体固定金具９の外側面に螺合するためのねじ部１３ａが設けられ、さらにねじ部１３ａの後方に前部側に拡開し断面台形状の第二の突き当て部１４が形成される様にすることができる。
【００１３】
前記シース固定金具１３をカップリングナット５側へ移動した位置に保持することにより、第一の板ばね８を締め付けて変形させて同軸ケーブル３０の同軸ケーブルシース１５に密着させる様にしても良い。
【００１４】
第一の絶縁体３は導電性シェル１に嵌合する凸部３ａが形成されて成り、第一の絶縁体３の凸部３ａが導電性シェル１に嵌合する状態で導電性ピンコンタクト２の板状弾性接続部６が同軸ケーブル中心導体７に圧接される様にすることができる。
【００１５】
［作用］
本発明の同軸コネクタと同軸ケーブルの接続方式は、同軸ケーブル３０の内部絶縁体３２及び同軸ケーブル中心導体７に装着される第一の絶縁体３と、同軸ケーブル３０の同軸ケーブル外部導体１１を固定するための第一の板ばね８をその後部側に有すると共に、外導筒４をその前部側に有する導電性シェル１と、第一の板ばね８の外側面に装着される導体固定金具９とれ、さらに導体固定金具９の外側面に装着されるシース固定金具１３とを備えることにより、簡易な構造で密閉性の高いコネクタ４０と同軸ケーブル３０との取り付けを容易且つバラツキ無く行うことが可能になる。
【００１６】
また、シース固定金具１３は、その内側に前部側に拡開した第二の突き当て部１４を備え、シース固定金具１３をカップリングナット５側へ移動した位置に保持することにより、導電性シェル１の第一の板ばね８に、導体固定金具９の第一の突き当て部１０が接触し、さらに第一の板ばね８は内側に撓み、同軸ケーブル外部導体１１を押圧し固定する。また、導体固定金具９の第二の板ばね１２に、シース固定金具１３の第二の突き当て部１４が接触し、さらに第二の板ばね１２は内側に撓み、同軸ケーブルシース１５を押圧し固定させ、導電性シェル１と同軸ケーブルシース１５との間の間隙の発生を防止するようにしているので、簡易な構造で水滴や塵埃の侵入を防止することが可能なコネクタ４０を構成することが可能になる。
【００１７】
また、第一の絶縁体３は導電性シェル１に嵌合する凸部３ａが形成されて成り、第一の絶縁体３のカップリングナット５側への移動は、凸部３ａが導電性シェル１に嵌合する位置まで可能であるように構成しているので、同軸ケーブル３０を導電性シェル１の前部方向に押し込んだ際、凸部３ａが導電性シェル１に嵌合した状態で、同軸ケーブル３０の同軸ケーブル中心導体７は導電性ピンコンタクト２に対して強固に圧接されることになる。  また、第一の絶縁体３の凸部３ａが導電性シェル１に嵌合した状態で保持されることにより、水滴や塵埃の侵入を防止することが可能になる。
【発明の効果】
【００１８】
本発明の同軸コネクタと同軸ケーブルの接続方式によれば、同軸コネクタに同軸ケーブルを接続する際にも汎用性スパナのみで、容易に安定したケーブル組み付けができる同軸コネクタと同軸ケーブルの接続方式を少ない部品点数で安価な構造で構成することができる。
【発明を実施するための最良の形態】
【００１９】
図１は本発明の実施の形態に係る同軸コネクタと同軸ケーブルの接続方式の断面図、図２は同軸ケーブルの被覆を剥いだ状態の断面図、図３は同軸ケーブルの被覆を剥いだ状態の他の断面図、図４はコネクタに同軸ケーブルを取り付けた状態を示す部分断面図であり、各図において同一部分には同一符号を付している。
【００２０】
図１において、本発明の実施の形態に係る同軸コネクタと同軸ケーブルの接続方式に用いられるコネクタ４０は、導電性の導電性シェル１、導電性シェル１の前部側に設けられた取付け部材としての導電性のカップリングナット５、導電性シェル１の後部側に設けられたシース固定金具１３、凸状の第一の絶縁体３、絶縁体１９、コネクタ４０の一方の端子となる導電性ピンコンタクト２、Ｏリング２０を備えている。尚、以下、カップリングナット５側を前部側、シース固定金具１３側を後部側とする。
【００２１】
導電性シェル１は、同軸コネクタ４０と同軸ケーブル３０の長さ方向（軸方向）に沿って、略円筒状に形成されている。導電性シェル１の前端部には外導筒４が一体に設けられると共に、導電性シェル１の前端部外周囲には、外導筒４外側にＯリング２０が設けられている。この導電性シェル１の前端部側には、他のコネクタ４０と螺合するためのねじ部２１を有するカップリングナット５が配設されている。
【００２２】
導電性シェル１の内側中央部には、導電性シェル１の長さ方向に円筒状に形成された導電性の第一の絶縁体３が嵌合可能にされており、第一の絶縁体３は導電性シェル１の後部側に位置するように嵌合される。
第一の絶縁体３は、導電性ピンコンタクト２の接続部６に当接するように嵌合される。第一の絶縁体３は、前部側に導電性シェル１の内側中央部の収容部２３に嵌合する凸部３ａおよび導電性シェル１の後側端面１ａに当接する円盤状の基部３ｂを有し、さらに同軸ケーブル３０の内部絶縁体３２及び同軸ケーブル中心導体７に装着するための孔部３ｃを備える。
【００２３】
また、導電性シェル１の後端部には第一の板ばね８が一体的に形成され、さらに第一の板ばね８の外側面に導電性部材である導体固定金具９が装着され、さらに導体固定金具９の外側面に円筒状に形成されたシース固定金具１３が装着される。
【００２４】
導体固定金具９にはその内側に、板ばね８の外側面に螺合するためのねじ部９ａが設けられ、さらにねじ部９ａの後方に断面台形状の第一の突き当て部１０が形成される。同様に、シース固定金具１３にはその内側に、導体固定金具９の外側面に螺合するためのねじ部１３ａが設けられ、さらにねじ部１３ａの後方に断面台形状の第二の突き当て部１４が形成される。
【００２５】
一方、導電性シェル１はその内側に収容部２３を有している。この導電性シェル１の収容部２３には絶縁体１９が装着され、絶縁体１９は収容部２３から外導筒４内側に向けて貫通する貫通孔２４を有している。
【００２６】
以上の導電性シェル１とカップリングナット５の内側には、略円柱状の導電性ピンコンタクト２が配設される。導電性ピンコンタクト２は大径部２ａ及び大径部２ａよりも径が小さい小径部２ｂによって形成されると共に、大径部２ａ後部には収容部２２が穿設されている。大径部２ａは、導電性シェル１内側に装着された絶縁体１９に嵌合する大きさに形成されてなる。
【００２７】
導電性ピンコンタクト２は、小径部２ｂが絶縁体１９の貫通孔２４に挿通されて導電性シェル１の収容部２３に収容された状態で絶縁体１９に保持される。この状態では、導電性ピンコンタクト２の収容部２２の中程までが導電性シェル１の収容部２３に挿入された状態になる。
【００２８】
導電性ピンコンタクト２には、同軸ケーブル３０の中心導体７を収容する収容部２２が形成されていると共に、同軸ケーブル３０を収容部２２に挿入する際に拡張可能なように複数のすりわり２２ａが形成されている。
【００２９】
以上のように構成されたコネクタ４０に同軸ケーブル３０を取り付ける場合の前処理について、図２、図３を用いて説明する。
ケーブル端末を図２に示すように、先ず、同軸ケーブル３０の同軸ケーブルシース１５の所要の長さを切り取り、さらに露出した同軸ケーブル外部導体１１の所要の長さを切り取り、露出した内部絶縁体３２の所要の長さを切り取り、同軸ケーブル中心導体７の所要の長さを露出させ、その状態で図３に示すように第一の絶縁体３を装着する。
【００３０】
以上のように本実施の形態の同軸コネクタと同軸ケーブル３０の接続方式では相手コネクタ４０と接続させる導電性シェル１の嵌合部は、導電性シェル１内側に絶縁体１９を介して装着されて同軸ケーブル中心導体７に接続される導電性ピンコンタクト２と、同軸ケーブル外部導体１１側に接続される外導筒４を導電性シェル１と一体に備え、嵌合は導電性シェル１に備えたカップリングナット５で行う。
導電性ピンコンタクト２は、端末処理された同軸ケーブル中心導体７を圧接して接続する板ばねを接続部６に有している。
【００３１】
導電性シェル１には、導体固定金具９をねじ結合する過程で端末処理された同軸ケーブル外部導体１１を導体固定金具９の第一の突き当て部１０を介して圧接して接続する第一の板ばね８を有している。
導体固定金具９には、シース固定金具１３をねじ結合する過程で端末処理された同軸ケーブルシース１５をシース固定金具１３の第二の突き当て部１４を介して圧接して接続する第二の板ばね１２を有している。
【００３２】
本実施の形態の同軸コネクタと同軸ケーブル３０の接続方式における同軸ケーブル３０を取り付ける操作について、図１乃至図４を用いて説明する。
第一の絶縁体３を装着した同軸ケーブル３０の同軸ケーブル中心導体７を導電性ピンコンタクト２に設けられた収容部２２に挿入する。このとき、すりわり２２ａが存在するため、同軸ケーブル中心導体７の挿入により収容部２２の入り口が広がり、同軸ケーブル中心導体７は収容部２２に狭持される。この状態で、同軸ケーブル３０を導電性シェル１の前部方向に押し込むと、導電性ピンコンタクト２及び第一の絶縁体３は、導電性シェル１の前部方向に移動する。
【００３３】
同軸ケーブル３０を更に、前部方向に押し込むと、同軸ケーブル３０の同軸ケーブル中心導体７が導電性ピンコンタクト２の収容部２２内に更に押し込まれて強固に固定される。また第一の絶縁体３の凸部３ａが導電性シェル１内側に嵌合すると共に、基部３ｂが導電性シェル１内側段部に当接した位置で停止し、前部方向へは移動できなくなる。即ち、第一の絶縁体３は導電性シェル１の導電性シェル１内側に嵌合した位置に停止し、保持される。
【００３４】
次に同軸ケーブル３０のコネクタ４０への接続を説明する。
導電性シェル１のスパナ締付け部をスパナで固定し、もう一つのスパナで導体固定金具９のスパナ締付け部を締付けて行くと、導電性シェル１の第一の板ばね８に、導体固定金具９の第一の突き当て部１０が接触し、さらに第一の板ばね８は内側に撓み、同軸ケーブル外部導体１１を押圧し固定する。
その後、スパナで導体固定金具９のスパナ締付け部をスパナで固定し、もう一つのスパナでシース固定金具１３のスパナ締付け部を締付けて行くと、導体固定金具９の第二の板ばね１２に、シース固定金具１３の第二の突き当て部１４が接触し、さらに第二の板ばね１２は内側に撓み、同軸ケーブルシース１５を押圧し固定する。
以上のように、シース固定金具１３を、導電性シェル１の前部方向に押し込むことにより、シース固定金具１３は、凸状の係止部２６に当接する位置まで移動して停止する。
【００３５】
この状態では、第一の突き当て部１０が第一の板ばね８を圧迫するため、同軸ケーブル３０の同軸ケーブル外部導体１１が第一の板ばね８によって締め付けられる。これにより、導電性シェル１と同軸ケーブル３０間に隙間が生じることなく密着する。
以上の工程でコネクタ４０に同軸ケーブル３０が接続される。
【図面の簡単な説明】
【００３６】
【図１】（a）本発明の実施の形態に係る同軸コネクタと同軸ケーブルの接続方式に関する部分断面図である。（b）本発明の実施の形態に係る同軸コネクタと同軸ケーブルの接続方式に用いられる部品の正面図である。（c）図１（b）に示す部品の側面図である。（d）本発明の実施の形態に係る同軸コネクタと同軸ケーブルの接続方式に用いられる他の部品の正面図である。（e）図１（d）に示す部品の側面図である。
【図２】同軸ケーブルの部分断面図である。
【図３】同軸ケーブルの他の部分断面図である。
【図４】本発明の実施の形態に係る同軸コネクタと同軸ケーブルの接続方式における同軸コネクタの部分断面図である。
【図５】従来の同軸コネクタと同軸ケーブルの接続方式における組み付け前処理を示す断面図である。
【図６】従来の同軸コネクタと同軸ケーブルの接続方式における組み付け後の状態を示す断面図である。
【符号の説明】
【００３７】
１・・・導電性シェル、２・・・導電性ピンコンタクト、２ｂ・・・小径部、３・・・第一の絶縁体、４…外導筒、５・・・カップリングナット、３ａ・・・凸部、７・・・同軸ケーブル中心導体、８・・・第一の板ばね、９・・・導体固定金具、１０・・・第一の突き当て部、１１・・・同軸ケーブル外部導体、１２…第二の板ばね、１３・・・シース固定金具、１４・・・第二の突き当て部、１５・・・同軸ケーブルシース、２２・・・収容部。
【図１】
2008177015.tif 000003
【図２】
2008177015.tif 000004
【図３】
2008177015.tif 000005
【図４】
2008177015.tif 000006
【図５】
2008177015.tif 000007
【図６】
2008177015.tif 000008